(57)【要約】【課題】カウンタウエイトを支持部に取付ける際の、カウンタウエイトに形成されたねじ穴と支持部に形成されたボルト穴の位置合わせを容易に行なうことができ、取付けを容易に行なうことができる、カウンタウエイトの位置決め具を提供する。【解決手段】位置決め具（３０）が、長手方向の一側にカウンタウエイト（１２）に形成されたねじ穴（ＴＨ）に螺合可能なねじ部（３０ａ）を有し、他側にねじ部（３０ａ）から先端に向けて先細りの支持部（１４）のボルト穴（ＢＨ）に挿入可能なテーパ部（３０ｂ）を有している。ねじ穴（ＴＨ）にねじ部（３０ａ）を螺合させた状態で、突出したテーパ部（３０ｂ）をボルト穴（ＢＨ）に挿入し、位置決めし、位置決め具を取外して代わりにボルトをねじ穴に取付けることにより、カウンタウエイトを支持部に取付ける。【選択図】図１
2008240328.tif 000002
【特許請求の範囲】
【請求項１】
カウンタウエイトを支持部に支持部を通したボルトによって取付ける際のカウンタウエイトの位置決め具であって、
真直棒状の長手方向の一側にカウンタウエイトに形成された該ボルトが取付けられるねじ穴に螺合可能なねじ部を有し、
他側にこのねじ部から先端に向けて先細りの、該支持部の該ボルトが挿通されるボルト穴に挿入可能なテーパ部を有し、
カウンタウエイトの該ねじ穴に該ねじ部を螺合させた状態で、突出した該テーパ部を該ボルト穴に挿入し、カウンタウエイトを該支持部に位置付け、
この状態において位置決め具をねじ穴から取外し、該ボルト穴を通してボルトをねじ穴に取付けることにより、カウンタウエイトを該支持部に取付ける
ことを特徴とするカウンタウエイトの位置決め具。
【請求項２】
カウンタウエイトは、該ねじ穴を複数個備え、
該位置決め具は、少なくとも２個以上のねじ穴それぞれに取付けられるとともに、少なくとも２個以上のねじ穴それぞれからの突出する長さの異なるものを備えている
ことを特徴とする請求項１記載のカウンタウエイトの位置決め具。
【発明の詳細な説明】
【技術分野】
【０００１】
本発明は、建設機械などの機体にカウンタウエイトを取付けるときに好適な、カウンタウエイトの位置決め具に関する。
【背景技術】
【０００２】
例えば油圧ショベルのような建設機械は、比較的大型で重量のあるカウンタウエイトを装備している（例えば、特許文献１参照）。カウンタウエイトは機体の支持部に複数本のボルトによって取付けられている。油圧ショベルのような建設機械は種々の現場に移送され稼動することが多い。
【０００３】
特に、高層建造物などの解体においては、クレーンによって階上に吊上げられ、災害復旧工事などにおいてはヘリコプターによって吊られて現場に搬入される。このような移送の場合には、クレーンやヘリコプターなどの吊上げ能力に限界があることから、また移送できる大きさも制限されることから、建設機械は分解され移送先の現場において再組立てされる。機体は、重量、大きさなどによって分解され、例えば油圧ショベルの場合には、機体本体、フロント作業装置、カウンタウエイトなどに分けられる。
【特許文献１】特開２０００−６４３５８号公報（第５図）
【発明の開示】
【発明が解決しようとする課題】
【０００４】
上述したとおりの形態の従来の建設機械などにおけるカウンタウエイトの再取付けには次のとおりの解決すべき課題がある。
【０００５】
すなわち、カウンタウエイトを機体の支持部に複数本のボルトによって取付ける際に、カウンタウエイトに形成された複数個のねじ穴と支持部に形成された複数個のボルト穴の位置を、カウンタウエイトを吊上げたクレーンを微調整して決める必要があり、この位置合わせに多くの時間がかかる。特に、高層ビルなどの階上で取付けの場合には、クレーンのオペレータと組立場所が離れているので、カウンタウエイトの位置の微調整が非常に困難である。
【０００６】
さらに、機体にカウンタウエイトを取付ける複数本のボルトは、建設機械の外観を損なわないように機体の内部に設けられているので、取付作業を行なう周辺の空間が狭く、現場でのカウンタウエイトの位置決め、取付作業は容易でない。
【０００７】
本発明は上記事実に鑑みてなされたもので、その技術的課題は、建設機械などの機体にカウンタウエイトを取付ける際の、カウンタウエイトに形成されたねじ穴と機体に形成されたボルト穴の位置合わせを容易に行なうことができ、カウンタウエイトの取付けを容易に行なうことができる、カウンタウエイトの位置決め具を提供することである。
【課題を解決するための手段】
【０００８】
本発明によれば、カウンタウエイトを支持部に支持部を通したボルトによって取付ける際のカウンタウエイトの位置決め具であって、真直棒状の長手方向の一側にカウンタウエイトに形成された該ボルトが取付けられるねじ穴に螺合可能なねじ部を有し、他側にこのねじ部から先端に向けて先細りの、該支持部の該ボルトが挿通されるボルト穴に挿入可能なテーパ部を有し、カウンタウエイトの該ねじ穴に該ねじ部を螺合させた状態で、突出した該テーパ部を該ボルト穴に挿入し、カウンタウエイトを該支持部に位置付け、この状態において位置決め具をねじ穴から取外し、該ボルト穴を通してボルトをねじ穴に取付けることにより、カウンタウエイトを該支持部に取付けることを特徴とするカウンタウエイトの位置決め具が提供される。
【０００９】
好適には、カウンタウエイトは、該ねじ穴を複数個備え、該位置決め具は、少なくとも２個以上のねじ穴それぞれに取付けられるとともに、少なくとも２個以上のねじ穴それぞれからの突出する長さの異なるものを備えている。
【発明の効果】
【００１０】
本発明に従って構成されたカウンタウエイトの位置決め具は、カウンタウエイトのねじ穴に螺合可能なねじ部と、カウンタウエイトが取付けられる支持部のボルト穴に挿入可能なテーパ部を有しているので、カウンタウエイトのねじ穴にねじ部を螺合させた状態で、突出したテーパ部をボルト穴に挿入することにより、ねじ穴とボルト穴の位置合わせを容易に行なうことができ、この状態において位置決め具をねじ穴から取外し、代わりにボルトをねじ穴に取付けることにより、カウンタウエイトの取付けを容易に行なうことができる。
【発明を実施するための最良の形態】
【００１１】
以下、本発明に従って構成されたカウンタウエイトの位置決め具について、建設機械の代表例である油圧ショベルにおける好適実施形態を図示している添付図面を参照して、さらに詳細に説明する。
【００１２】
位置決め具について説明する前に、先ず油圧ショベルおよびカウンタウエイトの概要について説明する。
【００１３】
図２を参照して説明する。全体を番号２で示す油圧ショベルは、機体本体としての下部走行体４および下部走行体４上に旋回自在に取付けられた上部旋回体６と、上部旋回体６に取付けられたフロント作業装置８を備え、上部旋回体６には、フロント作業装置８が取付けられた側である前部に運転室１０が、後部にカウンタウエイト１２が取付けられている。
【００１４】
カウンタウエイト１２について図２とともに図３〜図５を参照して説明する。カウンタウエイト１２は、鋳鉄などによって一体に形成され、油圧ショベル２の後方から見て（図３）左右横長の略矩形状に、下方から見て（図４）後方に円弧を突き出した半月状に、また側方から見て（図５）上下縦長の略矩形に形成されている。
【００１５】
カウンタウエイト１２の底部の左右幅方向の中央部には、カウンタウエイト１２を上部旋回体６の支持部１４に取付けるための一対の装着用凹部１６，１６が、カウンタウエイト１２の後面側を閉じ、前面および底面側を開放した直方体状の空間に形成されている。装着用凹部１６，１６各々の上面である取付面１８には、装着用のねじ穴ＴＨが２個、前後方向に備えられている。
【００１６】
支持部１４は、一対の装着用凹部１６、１６にそれぞれ係合する、上部旋回体６の旋回体フレーム２０の後端部に位置した一対の取付ブラケット２２，２２によって形成され、カウンタウエイト１２の取付面１８が載せられる載置板２４を備えている。この載置板２４には、カウンタウエイト１２の取付面１８の２個のねじ穴ＴＨに対応して２個の貫通したボルト穴ＢＨが形成されている。
【００１７】
支持部１４へのカウンタウエイト１２の取付状態について、主として図５を参照して説明する。カウンタウエイト１２は、取付面１８を支持部１４の載置板２４の上に載せ、ボルト穴ＢＨにねじ穴ＴＨの位置（本実施例では４個所）を合わせた状態にして、ボルト２６をスペーサ２８を介し、ボルト穴ＢＨを通してねじ穴ＴＨにねじ込むことにより取付けられる。カウンタウエイト１２を取外す場合は、ボルト２６をねじ穴ＴＨから取外すことにより行われる。
【００１８】
カウンタウエイトの位置決め具について図１を参照して説明する。番号３０で示す位置決め具は、全長Ｌの真直棒状の長手方向の一側（図１の上側）にカウンタウエイト１２のねじ穴ＴＨに螺合可能なねじ部３０ａを有し、他側（図１の下側）にこのねじ部３０ａから先端の径ｄに向けて先細りの、支持部１４のボルト穴ＢＨに挿入可能なテーパ部３０ｂを有している。
【００１９】
カウンタウエイト１２がねじ穴ＢＨを複数個（本実施例では４個）備える場合には、位置決め具３０は、少なくとも２個以上のねじ穴ＴＨそれぞれに取付けられるとともに、少なくとも２個以上の、ねじ穴ＴＨからの突出する長さが異なる、全長Ｌが異なる（全長Ｌ１の位置決め具３１、それより短い全長Ｌ２の位置決め具３２）ものを用意する。
【００２０】
位置決め具３０のテーパ部３０ｂの先端には、位置決め具３０をねじ穴ＴＨに着脱するためのドライバ溝３０ｃが形成されている。
【００２１】
図１を参照して説明を続ける。カウンタウエイト１２を支持部１４に取付けるには、位置決め具３０を用いて次の要領で行なう。
【００２２】
（１）カウンタウエイト１２のねじ穴ＴＨに位置決め具３０のねじ部３０ａを、直接手であるいはドライバ溝３０ｃを用いて螺合させ取付ける。複数のねじ穴ＴＨの一方のねじ穴ＴＨに全長が長いＬ１の位置決め具３１を、他方のねじ穴ＴＨに全長が短いＬ２の位置決め具３２を取付ける。カウンタウエイト１２の場合、４個のねじ穴ＴＨのうち、この２個のねじ穴ＴＨのみの取付けでも位置決め具としての最小限の機能を発揮できるので、他の２個のねじ穴ＴＨには取付けなくてもよい。
【００２３】
（２）この状態で、カウンタウエイト１２を支持部１４の載置板２４の上に向けて吊り下ろし、先に接近する長い位置決め具３１の突出したテーパ部３０ｂを対応するボルト穴ＢＨに挿入し、ボルト穴ＢＨに挿入した位置決め具３１を中心にカウンタウエイト１２を適宜に動かし、他方の短い位置決め具３２の突出したテーパ部３０ｂを対応する他方のボルト穴ＢＨに挿入する。かくして、カウンタウエイト１２は支持部１４の所定の位置に位置づけられる。
【００２４】
（３）次に、位置決め具３０（３１，３２）をねじ穴ＴＨから順次取外し、代わりにボルト２６を順次に、スペーサ２８、ボルト穴ＢＨを通して、ねじ穴ＴＨに取付け、カウンタウエイト１２を支持部１４に取付ける（図５の状態）。
【００２５】
上述したとおりのカウンタウエイトの位置決め具３０の作用効果について説明する。
【００２６】
位置決め具３０は、カウンタウエイト１２のねじ穴ＴＨに螺合可能なねじ部３０ａと、カウンタウエイト１２が取付けられる支持部１４のボルト穴ＢＨに挿入可能なテーパ部３０ｂを有しているので、カウンタウエイト１２のねじ穴ＴＨにねじ部３０ａを螺合させた状態で、突出したテーパ部３０ｂをボルト穴ＢＨに挿入し、ねじ穴ＴＨとボルト穴ＢＨの位置を合わせ、この状態において位置決め具３０（３１、３２）をねじ穴ＴＨから取外し代わりにボルト２６をねじ穴ＴＨに取付けることにより、カウンタウエイト１２を支持部１４に、位置合せに時間をかけることなく、容易に取付けることができる。
【００２７】
特に、位置決め具３０のカウンタウエイト１２から突出する部分は先細りのテーパ状になっているので、ボルト穴ＢＨに容易に挿入することができ、位置合わせが容易である。
【００２８】
また、カウンタウエイト１２がねじ穴ＴＨを複数個備える場合には、位置決め具３０を少なくとも２個以上のねじ穴ＴＨそれぞれに取付けられるとともに、少なくとも２個以上の、ねじ穴ＴＨそれぞれからの突出する長さの異なるものを備えることにより、カウンタウエイト１２を載置面２４の上に吊り降ろすときに、位置決め具３０は長いものから順次にボルト穴ＢＨに挿入されるので、位置合わせ作業が容易である。
【００２９】
以上、本発明を実施例に基づいて詳細に説明したが、本発明は上記の実施例に限定されるものではなく、例えば下記のように、本発明の範囲内においてさまざまな変形あるいは修正ができるものである。
【００３０】
本発明の実施の形態においては、カウンタウエイト１２にはねじ穴ＴＨが４個設けられているが、位置決め具３０を適用するカウンタウエイトのねじ穴の数は、４個に限定されるものではなく、１〜３個でも、あるいは５個以上であってもよい。
【００３１】
本発明の実施の形態においては、位置決め具３０のテーパ部３０ｂの先端に着脱のためのドライバ溝３０ｃが備えられているが、ドライバ溝３０ｃに代えて、ソケット工具用の角状の凸部あるいは角状の凹部などを備えてもよい。
【図面の簡単な説明】
【００３２】
【図１】本発明に従って構成されたカウンタウエイトの位置決め具の詳細図およびカウンタウエイトへの取付状態を示した断面図。断面図は図３のＢ−Ｂ矢印方向に見た図。
【図２】カウンタウエイトを装備した油圧ショベルの側面図。
【図３】図２のＡ−Ａ矢印方向にカウンタウエイトの部分を見た図。
【図４】図３のＣ−Ｃ矢印方向にカウンタウエイトの部分を見た図
【図５】カウンタウエイトの取付状態を示した図３のＢ−Ｂ矢印方向に見た断面図。
【符号の説明】
【００３３】
１２：カウンタウエイト
１４：支持部
２６：ボルト
３０、３１、３２：位置決め具
３０ａ：ねじ部
３０ｂ：テーパ部
ＢＨ：ボルト穴
ＴＨ：ねじ穴
【図１】
2008240328.tif 000003
【図２】
2008240328.tif 000004
【図３】
2008240328.tif 000005
【図４】
2008240328.tif 000006
【図５】
2008240328.tif 000007